(57)【要約】【課題】  ソレノイドを内蔵するソレノイド部と、ソレノイドにより駆動される制御弁を内蔵する制御弁部とを備え、制御弁部の外周に制御弁部の長手方向に互いに間隔を隔てて複数のシール部材が装着された容量斜板式圧縮機の電磁式容量制御弁であって、シール部材を介する冷媒ガスの圧縮機外への透過漏れが従来に比べて効果的に阻止された電磁式容量制御弁を提供する。【解決手段】  ソレノイドを内蔵するソレノイド部と、ソレノイドにより駆動される制御弁を内蔵する制御弁部とを備え、制御弁部の外周に制御弁部の長手方向に互いに間隔を隔てて複数のシール部材が装着され、ソレノイド部に最も近接するシール部材が、耐冷媒ガス透過性に優れる素材から成りソレノイド部に近接する第１部分と、耐熱性と耐発泡割れ性とに優れる素材から成りソレノイド部から離隔する第２部分とにより形成されており、他のシール部材は耐熱性と耐発泡割れ性とに優れる素材から成る。【選択図】  図３
2006348851.tif 000002
【特許請求の範囲】
【請求項１】
ソレノイドを内蔵するソレノイド部と、ソレノイドにより駆動される制御弁を内蔵する制御弁部とを備え、制御弁部の外周に制御弁部の長手方向に互いに間隔を隔てて複数のシール部材が装着され、ソレノイド部に最も近接するシール部材が、耐冷媒ガス透過性に優れる素材から成りソレノイド部に近接する第１部分と、耐熱性と耐発泡割れ性とに優れる素材から成りソレノイド部から離隔する第２部分とにより形成されており、他のシール部材は耐熱性と耐発泡割れ性とに優れる素材から成ることを特徴とする可変容量斜板式圧縮機の電磁式容量制御弁。
【請求項２】
シール部材は筒部を有することを特徴とする請求項１に記載の可変容量斜板式圧縮機の電磁式容量制御弁。
【請求項３】
筒部の外周面に環状突起部が形成されていることを特徴とする請求項２に記載の可変容量斜板式圧縮機の電磁式容量制御弁。
【請求項４】
耐冷媒ガス透過性に優れる素材は塩素化ポリエチレン（ＣＭ）であり、耐熱性と耐発泡割れ性とに優れる素材は水素化ニトリルゴム（ＨＮＢＲ）であることを特徴とする請求項１乃至３の何れか１項に記載の可変容量斜板式圧縮機の電磁式容量制御弁。
【発明の詳細な説明】
【技術分野】
【０００１】
本発明は、可変容量斜板式圧縮機の電磁式容量制御弁に関するものである。
【背景技術】
【０００２】
図１に示すように、ソレノイドを内蔵する円柱状のソレノイド部１と、ソレノイドにより駆動される制御弁を内蔵する円柱状の制御弁部２とを備え、制御弁部の２外周に制御弁部２の長手方向に互いに間隔を隔てて複数のＯリング３が装着された可変容量斜板式圧縮機の電磁式容量制御弁が特許文献１等に開示されている。
電磁式容量制御弁は、制御弁部２を圧縮機内側へ差し向けて、圧縮機ハウジングに形成された凹部に挿入固定されている。制御弁部２の外周面は、ハウジング凹部の周壁に当接しており、Ｏリング３とハウジング凹部の周壁との間に適正な面圧が生じている。制御弁部２には斜板式圧縮機吐出室との連通穴と、圧縮機吸入室との連通穴と、圧縮機クランク室との連通穴とが、制御弁部２の長手方向に互いに間隔を隔てて形成されている。Ｏリング３は互いに隣接する連通穴の間に１個、最もソレノイド部１に近接する連通穴とソレノイド部１との間に１個の計３個配設されている。互いに隣接する連通穴間に配設されたＯリング３は、制御弁部２の外側での連通穴相互の短絡を阻止し、最もソレノイド部１に近接する連通穴とソレノイド部１との間に配設されたＯリング３は、圧縮機外への冷媒ガスの漏洩を阻止している。
従来、Ｏリング３の素材として、Ｏリング３が高温の吐出冷媒ガスに接触すること、並びにＯリング３が液冷媒に接触する可能性があること等を勘案して、耐熱性や耐発泡割れ性に優れる素材が使用されていた。
【特許文献１】特開２００３−２５４２４６
【発明の開示】
【発明が解決しようとする課題】
【０００３】
最もソレノイド部１に近接する連通穴とソレノイド部１との間に配設されたＯリング３は、圧縮機外への冷媒ガスの漏洩を阻止しているが、耐熱性や耐発泡割れ性に優れる素材から成るＯリング３では、制御弁部２の外周面とハウジング凹部周壁との当接部を介する冷媒ガスの隙間漏れは有効に阻止できても、Ｏリング３を介する冷媒ガスの透過漏れ（Ｏリング３を透過した冷媒ガスの圧縮機外への漏洩）を効果的に阻止することはできなかった。
本発明は上記問題に鑑みてなされたものであり、ソレノイドを内蔵するソレノイド部と、ソレノイドにより駆動される制御弁を内蔵する制御弁部とを備え、制御弁部の外周に制御弁部の長手方向に互いに間隔を隔てて複数のシール部材が装着された容量斜板式圧縮機の電磁式容量制御弁であって、シール部材を介する冷媒ガスの圧縮機外への透過漏れが従来に比べて効果的に阻止された電磁式容量制御弁を提供することを目的とする。
【課題を解決するための手段】
【０００４】
上記課題を解決するために、本発明においては、ソレノイドを内蔵するソレノイド部と、ソレノイドにより駆動される制御弁を内蔵する制御弁部とを備え、制御弁部の外周に制御弁部の長手方向に互いに間隔を隔てて複数のシール部材が装着され、ソレノイド部に最も近接するシール部材が、耐冷媒ガス透過性に優れる素材から成りソレノイド部に近接する第１部分と、耐熱性と耐発泡割れ性とに優れる素材から成りソレノイド部から離隔する第２部分とにより形成されており、他のシール部材は耐熱性と耐発泡割れ性とに優れる素材から成ることを特徴とする可変容量斜板式圧縮機の電磁式容量制御弁を提供する。
本発明においては、ソレノイド部に最も近接するシール部材の、ソレノイド部に近接する第１部分が耐冷媒ガス透過性に優れる素材から成るので、全てのＯリングが耐熱性と耐発泡割れ性とに優れる素材から成る従来の電磁式容量制御弁に比べて、シール部材を介する冷媒ガスの圧縮機外への透過漏れが効果的に阻止される。ソレノイド部に最も近接するシール部材のソレノイド部から離隔する第２部分と、他のシール部材とは、従来と同様に耐熱性と耐発泡割れ性とに優れる素材から成るので、冷媒ガスの透過漏れ以外の制御弁部のシール性能は、従来と同等である。
【０００５】
本発明の好ましい態様においては、シール部材は筒部を有する。
本発明の好ましい態様においては、筒部の外周面に環状突起部が形成されている。
シール部材が筒部を有することにより、従来のＯリングに比べて、透過距離、即ちシール部材の制御弁部長手方向の延在長さが長くなり、シール部材を介する冷媒ガスの圧縮機外への透過漏れが効果的に阻止される。
筒部の外周面に環状突起部が形成されている場合には、環状突起部とハウジング凹部との間に高い面圧が働くので、制御弁部とハウジング凹部周壁との当接部を介する冷媒ガスの圧縮機外への隙間漏れが効果的に阻止される。
【０００６】
本発明の好ましい態様においては、耐冷媒ガス透過性に優れる素材は塩素化ポリエチレン（ＣＭ）であり、耐熱性と耐発泡割れ性とに優れる素材は水素化ニトリルゴム（ＨＮＢＲ）である。
塩素化ポリエチレン、水素化ニトリルゴム共に市場で容易に入手できるので、耐冷媒ガス透過性に優れる素材、耐熱性と耐発泡割れ性とに優れる素材として好適である。
【発明の効果】
【０００７】
本発明においては、ソレノイド部に最も近接するシール部材の、ソレノイド部に近接する第１部分が耐冷媒ガス透過性に優れる素材から成るので、全てのＯリングが耐熱性と耐発泡割れ性とに優れる素材から成る従来の電磁式容量制御弁に比べて、シール部材を介する冷媒ガスの圧縮機外への透過漏れが効果的に阻止される。ソレノイド部に最も近接するシール部材のソレノイド部から離隔する第２部分と、他のシール部材とは、従来と同様に耐熱性と耐発泡割れ性とに優れる素材から成るので、冷媒ガスの透過漏れ以外の制御弁部のシール性能は、従来と同等である。
【発明を実施するための最良の形態】
【０００８】
本発明の実施例に係る可変容量斜板式圧縮機の電磁式容量制御弁を説明する。
【実施例１】
【０００９】
図２に示すように、可変容量斜板式圧縮機の電磁式容量制御弁１０は、ソレノイドを内蔵する円柱状のソレノイド部１１と、ソレノイドにより駆動される制御弁を内蔵する円柱状の制御弁部１２とを備えている。
電磁式容量制御弁１０は、制御弁部１２を圧縮機内側へ差し向けて、圧縮機ハウジングに形成された凹部に挿入固定されている。制御弁部１２の外周面は、ハウジング凹部の周壁に当接している。制御弁部１２には斜板式圧縮機吐出室との連通穴１２ａと、圧縮機吸入室との連通穴１２ｂと、圧縮機クランク室との連通穴１２ｃとが、制御弁部１２の長手方向に互いに間隔を隔てて形成されている。
制御弁部１２の外周に、互いに隣接する連通穴１２ｃと１２ａの間の部位と、連通穴１２ａと１２ｂの間の部位とに、制御弁部１２の長手方向に互いに間隔を隔てて、耐熱性と耐発泡割れ性とに優れる素材である水素化ニトリルゴム（ＨＮＢＲ）製のＯリング１３ａ、１３ｂが装着されている。最もソレノイド部１１に近接する連通穴１２ｂとソレノイド部１１の間の部位に、Ｏリング複合体１３ｃが装着されている。Ｏリング複合体１３ｃは、ソレノイド部１１に近接する耐冷媒ガス透過性に優れる素材である塩素化ポリエチレン（ＣＭ）製の第１Ｏリング１３ｃ’と、ソレノイド部１１から離隔する耐熱性と耐発泡割れ性とに優れる水素化ニトリルゴム（ＨＮＢＲ）製の第２Ｏリング１３ｃ”とにより形成されている。第１Ｏリング１３ｃ’と第２Ｏリング１３ｃ”とは互いに当接している。Ｏリング１３ａ、１３ｂ、１３ｃ’、１３ｃ”とハウジング凹部の周壁との間に適正な面圧が生じている。
【００１０】
電磁容量制御弁１０においては、ソレノイド部１１に最も近接するシール部材であるＯリング複合体１３ｃの、ソレノイド部１１に近接する第１部分である第１Ｏリング１３ｃ’が耐冷媒ガス透過性に優れる塩素化ポリエチレン（ＣＭ）製なので、全てのＯリング３が耐熱性と耐発泡割れ性とに優れる素材から成る従来の電磁式容量制御弁に比べて、シール部材を介する冷媒の圧縮機外への透過漏れが効果的に阻止される。ソレノイド部１１に最も近接するシール部材であるＯリング複合体１３ｃのソレノイド部１１から離隔する第２部分である第２Ｏリング１３ｃ”と、他のシール部材であるＯリング１３ａ、１３ｂとは、従来と同様に耐熱性と耐発泡割れ性とに優れる素材である水素化ニトリルゴム（ＨＮＢＲ）から成るので、冷媒ガスの透過漏れ以外の制御弁部１２のシール性能は、従来と同等である。
塩素化ポリエチレン、水素化ニトリルゴム共に市場で容易に入手できるので、耐冷媒ガス透過性に優れる素材、耐熱性と耐発泡割れ性とに優れる素材として好適である。
【実施例２】
【００１１】
図３示すように、可変容量斜板式圧縮機の電磁式容量制御弁２０は、ソレノイドを内蔵するソレノイド部２１と、ソレノイドにより駆動される制御弁を内蔵する制御弁部２２とを備えている。
電磁式容量制御弁２０は、制御弁部２２を圧縮機内側へ差し向けて、圧縮機ハウジングに形成された凹部に挿入固定されている。制御弁部２２には斜板式圧縮機吐出室との連通穴２２ａと、圧縮機吸入室との連通穴２２ｂと、圧縮機クランク室との連通穴２２ｃとが、制御弁部２２の長手方向に互いに間隔を隔てて形成されている。
制御弁部２２の外周の、互いに隣接する連通穴２２ｃと２２ａの間の部位と、連通穴２２ａと２２ｂの間の部位とは、略全面に亙って、且つ制御弁部２２の長手方向に互いに間隔を隔てて、耐熱性と耐発泡割れ性とに優れる素材である水素化ニトリルゴム（ＨＮＢＲ）製のシール部材２３ａ、２３ｂにより被覆されている。シール部材２３ａ、２３ｂは、筒部２３ａ’、２３ｂ’と、筒部２３ａ’、２３ｂ’の外周面に形成された断面が半円形の環状突起部２３ａ”、２３ｂ”とを有している。
制御弁部２２の外周の、最もソレノイド部２１に近接する連通穴２２ｂとソレノイド部２１の間の部位は、略全面に亙って、シール部材２３ｃにより被覆されている。シール部材２３ｃは、ソレノイド部２１に近接する耐冷媒ガス透過性に優れる素材である塩素化ポリエチレン（ＣＭ）製の第１部分２３ｄと、ソレノイド部２１から離隔する耐熱性と耐発泡割れ性とに優れる水素化ニトリルゴム（ＨＮＢＲ）製の第２部分２３ｅとにより形成されている。第１部分２３ｄと第２部分２３ｅとは互いに当接している。第１部分２３ｄ、第２部分２３ｅは、筒部２３ｄ’、２３ｅ’と、筒部２３ｄ’、２３ｅ’の外周面に形成された断面が半円形の環状突起部２３ｄ”、２３ｅ”とを有している。
【００１２】
本実施例に係る容量制御弁２０が図示しない圧縮機ハウジングの凹部に挿入固定された状態において、環状突起２３ａ”、２３ｂ”、２３ｄ”、２３ｅ”は、ハウジング凹部周壁に押し付けられ押しつぶされて、筒体２３ａ’、２３ｂ’、２３ｄ’、２３ｅ’の外周面と面一になっている。筒体２３ａ’、２３ｂ’、２３ｄ’、２３ｅ’の外周面はハウジング凹部周壁に当接して、当該周壁との間に適正な面圧が生じており、押しつぶされた環状突起環状突起２３ａ”、２３ｂ”、２３ｄ”、２３ｅ”の部位の外周面とハウジング凹部周壁との間には他部に比べて高い面圧が生じている。
【００１３】
電磁容量制御弁２０においては、ソレノイド部２１に最も近接するシール部材２３ｃの、ソレノイド部２１に近接する第１部分２３ｄが耐冷媒ガス透過性に優れる塩素化ポリエチレン（ＣＭ）製なので、全てのＯリング３が耐熱性と耐発泡割れ性とに優れる素材から成る従来の電磁式容量制御弁に比べて、シール部材を介する冷媒の圧縮機外への透過漏れが効果的に阻止される。ソレノイド部２１に最も近接するシール部材２３ｃのソレノイド部２１から離隔する第２部分２３ｅと、他のシール部材２３ａ、２３ｂとは、従来と同様に耐熱性と耐発泡割れ性とに優れる素材である水素化ニトリルゴム（ＨＮＢＲ）から成るので、冷媒ガスの透過漏れ以外の制御弁部２２のシール性能は、従来と同等である。
塩素化ポリエチレン、水素化ニトリルゴム共に市場で容易に入手できるので、耐冷媒ガス透過性に優れる素材、耐熱性と耐発泡割れ性とに優れる素材として好適である。
シール部材２３ｃの第１部分２３ｄが筒部２３ｄ’を有することにより、透過距離、即ち第１部分２３ｄの制御弁部２２長手方向の延在長さが、Ｏリング１３ｃ’に比べて長くなり、第１部分２３ｄを介する冷媒ガスの圧縮機外への透過漏れが効果的に阻止される。
環状突起部２３ｄ”、２３ｅ”とハウジング凹部との間に高い面圧が働くので、制御弁部２２とハウジング凹部周壁との当接部を介する冷媒ガスの圧縮機外への隙間漏れが効果的に阻止される。
【産業上の利用可能性】
【００１４】
本発明は、可変容量斜板式圧縮機の電磁式容量制御弁に広く利用可能である。
【図面の簡単な説明】
【００１５】
【図１】従来の可変容量斜板式圧縮機の電磁式容量制御弁の断面図である。
【図２】本発明の第１実施例に係る可変容量斜板式圧縮機の電磁式容量制御弁の断面図である。
【図３】本発明の第２実施例に係る可変容量斜板式圧縮機の電磁式容量制御弁の断面図である。
【符号の説明】
【００１６】
１、１１、２１  ソレノイド部
２、１２、２２  制御弁部
３、１３ａ、１３ｂ  Ｏリング
１３ｃ  Ｏリング複合体
１３ｃ’  第１Ｏリング
１３ｃ”  第２Ｏリング
１０、２０  電磁式容量制御弁
１２ａ、１２ｂ、１２ｃ、２２ａ、２２ｂ、２２ｃ  連通穴
２３ａ、２３ｂ、２３ｃ  シール部材
２３ｄ  第１部分
２３ｅ  第２部分
２３ａ’、２３ｂ’、２３ｄ’、２３ｅ’  筒部
２３ａ”、２３ｂ”、２３ｄ”、２３ｅ”  環状突起部
【図１】
2006348851.tif 000003
【図２】
2006348851.tif 000004
【図３】
2006348851.tif 000005